(57)【要約】【課題】建設現場でパイプ径の異なった建枠を使用する場合にも、いずれのパイプ径の建枠にも安定した状態で使用することができるジャッキ型ベース金具を提供する。【解決手段】台板１に立設したネジ棒２に、正逆回転させることにより上下動するようにした調整ナット４を螺合したものとし、この調整ナット４の上部に、小径のパイプ５の支持部６と大径のパイプ７の支持部８を設けたものとしている。そして、前記小径のパイプ５の内側周面５ａを前記ネジ棒２の外側周面２ａに沿うようにして、この小径のパイプ５をネジ棒２に挿入できるようにしている。【選択図】図１
2007321489.tif 000002
【特許請求の範囲】
【請求項１】
台板（１）に立設したネジ棒（２）に、正逆回転させることにより上下動するようにした調整ナット（４）を螺合したものとし、この調整ナット（４）の上部に、小径のパイプ（５）の支持部（６）と大径のパイプ（７）の支持部（８）を設けたことを特徴とするジャッキ型ベース金具。
【請求項２】
前記小径のパイプ（５）の内側周面（５ａ）を前記ネジ棒（２）の外側周面（２ａ）に沿うようにして、この小径のパイプ（５）をネジ棒（２）に挿入できるようにしたことを特徴とする請求項１記載のジャッキ型ベース金具。
【請求項３】
前記支持部（６）を、調整ナット（４）の上端の水平周面（４ａ）としたことを特徴とする請求項１または２記載のジャッキ型ベース金具。
【請求項４】
前記支持部（８）を、調整ナット（４）の上部に形成した外側段部（９）の水平周面（９ａ）としたことを特徴とする請求項１または２記載のジャッキ型ベース金具。
【請求項５】
前記支持部（６）を、調整ナット（４）の上部に形成した内側第一段部（１０）の水平周面（１０ａ）としたことを特徴とする請求項１または２記載のジャッキ型ベース金具。
【請求項６】
前記支持部（８）を、調整ナット（４）の上部に形成した内側第二段部（１１）の水平周面（１１ａ）としたことを特徴とする請求項１または２記載のジャッキ型ベース金具。
【発明の詳細な説明】
【技術分野】
【０００１】
この発明は、建設現場で使用される建枠足場用のジャッキベース金具に関するものである。
【背景技術】
【０００２】
従来、この種のジャッキ型ベース金具としては、例えば図１１に示したように、ベース２１と敷板２２とを備えたものが存在する。ベース２１は、一面上に間隔を隔てて対向する一対のガイド片２３、２４を有するものとしている。敷板２２は、足場を受ける基板２５を有しており、基板２５が一対のガイド片２３、２４の間に配置され、ガイド片２３、２４によって抑えられ、かつ矢印ａの方向に案内されるとしている。そして、基板２５には、一面上にジャッキ２６が立設されているとしている。さらに、ジャッキ２６は、ジャッキ支柱２６ａと、ハンドル２６ｂを取り付けた回転子２６ｃから構成されているとし、ジャッキ支柱２６ａの外周面には、回転子２６ｃの内周面に形成されたねじと螺合されるねじが形成されているとしている（特許文献１）。
【０００３】
このように構成された従来のジャッキ型ベース金具では、基板２５は一対のガイド片２３、２４の間に配置され、ガイド片２３、２４によって抑えられているから、敷板２２をベース２１に安定に結合させ、それによって足場全体を安定に保つことができるとしている。そして、前記従来のジャッキ型ベース金具では、建築現場で使用される際に、ジャッキ支柱２６ａの上端部側に足場支柱が接続され、回転子２６ｃが足場支柱の下端部を支える。そして、回転子２６ｃを径方向に回転させることにより、足場支柱を鉛直方向に移動させることでき、足場支柱を必要に応じた高さに調整することができるとしている。
【０００４】
さらに、この種のジャッキ型ベース金具としては、例えば図１２に示したように、台板３１の中央にネジ棒３２を立設し、ネジ棒３２にハンドル３３を取り付けた調節ナット３４を螺合し、ネジ棒３２の下端に球体３５を形成し、台板３１の中央に前記球体３５を受ける球面軸受を形成した軸受箱３６を固着して、球面軸受に球体３５を嵌合したものとしている（特許文献２）。
【０００５】
このように構成された従来のジャッキ型ベース金具では、台板３１がネジ棒３２に対して角度を自由に変えられる構造となっているから、台板３１が地盤の傾斜に倣い、傾斜地でも安定した水平な足場を作ることができるとしている。
【特許文献１】特開平９−２６４０６５号公報（第２、３頁、図２）
【特許文献２】実開平４−１８１４５号公報（第１頁、図１）
【発明の開示】
【発明が解決しようとする課題】
【０００６】
ところで、従来、建設現場で使用される建枠には、鳥居型建枠や梯子型建枠などが存在し、その建枠の種類によってパイプ径がφ４２．７ｍｍ、φ４８．６ｍｍなどと大小異なったものを用いている。
【０００７】
しかしながら、ジャッキ型ベース金具は、小径のパイプに合わせて作製すると、大径のパイプがガタついて安定せず、大径のパイプに合わせて作製すると、小径のパイプが挿入できないので、いずれか一方の径のパイプにしか使用できない。
【０００８】
すなわち、図１１に示した従来のジャッキ型ベース金具では、例えばジャッキ支柱２６ａを小径のパイプが丁度挿入できるように小径のものとすれば、このジャッキ支柱２６ａに小径のパイプを挿入すると、この小径のパイプはジャッキ支柱２６ａに沿うと共に回転子２６ｃの上面に支持され、安定した状態となる。しかしながら、前記ジャッキ支柱２６ａに大径のパイプを挿入すると、この大径のパイプはジャッキ支柱２６ａとの間に大きな隙間が生じて位置決めができず、回転子２６ｃの上面に支持されても、ずれたりするので安定した状態で使用することができない。また、この従来のジャッキ型ベース金具では、例えばジャッキ支柱２６ａを大径のパイプが丁度挿入できるように大径のものとすれば、このジャッキ支柱２６ａに大径のパイプを挿入すると、この大径のパイプはジャッキ支柱２６ａに沿うと共に回転子２６ｃの上面に支持され、安定した状態となる。しかしながら、前記ジャッキ支柱２６ａに小径のパイプを挿入しようとしても、この小径のパイプはジャッキ支柱２６ａに挿入することができず、使用することができないものとなる。
【０００９】
さらに、図１２に示した従来のジャッキ型ベース金具においても、ネジ棒３２を小径のパイプが丁度挿入できるように小径のものにしたり、ネジ棒３２を大径のパイプが丁度挿入できるように大径のものにしたりすると、図１１に示した従来のジャッキ型ベース金具と同様なことがおこり、安定した状態で使用することができなかったり、使用することができないものとなる。
【００１０】
したがって、建設現場でパイプ径の異なった建枠を使用する場合には、そのパイプ径に応じたジャッキ型ベース金具を用意しなければならず、非常に面倒であるという問題点を有していた。
【００１１】
そこで、この発明は、上記従来の問題点を解決するものであり、建設現場でパイプ径の異なった建枠を使用する場合にも、いずれのパイプ径の建枠にも安定した状態で使用することができるジャッキ型ベース金具を提供することを目的としてなされたものである。
【課題を解決するための手段】
【００１２】
そのため、この発明のジャッキ型ベース金具は、台板１に立設したネジ棒２に、正逆回転させることにより上下動するようにした調整ナット４を螺合したものとし、この調整ナット４の上部に、小径のパイプ５の支持部６と大径のパイプ７の支持部８を設けたものとしている。
【００１３】
そして、この発明のジャッキ型ベース金具は、前記小径のパイプ５の内側周面５ａを前記ネジ棒２の外側周面２ａに沿うようにして、この小径のパイプ５をネジ棒２に挿入できるようにしている。
【００１４】
さらに、この発明のジャッキ型ベース金具は、前記支持部６を、調整ナット４の上端の水平周面４ａとしている。
【００１５】
また、この発明のジャッキ型ベース金具は、前記支持部８を、調整ナット４の上部に形成した外側段部９の水平周面９ａとしている。
【００１６】
さらに、この発明のジャッキ型ベース金具は、前記支持部６を、調整ナット４の上部に形成した内側第一段部１０の水平周面１０ａとしている。
【００１７】
また、この発明のジャッキ型ベース金具は、前記支持部８を、調整ナット４の上部に形成した内側第二段部１１の水平周面１１ａとしている。
【発明の効果】
【００１８】
この発明のジャッキ型ベース金具は、以上に述べたように構成されているので、建設現場でパイプ径の大小異なった建枠を使用する場合にも、いずれのパイプ径の建枠にも安定した状態で使用することができるものとなった。
【発明を実施するための最良の形態】
【００１９】
以下、この発明のジャッキ型ベース金具の実施の形態を、図面に基づいて詳細に説明する。
【００２０】
図１〜５は、この発明のジャッキ型ベース金具の一実施形態を示しており、図６〜１０は、この発明のジャッキ型ベース金具の他の実施形態を示しており、いずれの実施形態においても、台板１の中央にネジ棒２を立設し、このネジ棒２に、例えば操作ハンドル３により正逆回転させることにより上下動するようにした調整ナット４を螺合したものとしている。
【００２１】
台板１は、図示したものでは、角を落とした正方形としており、四隅に止穴１２を設けたものとしているが、その形状は任意であり、円形、六角形、長方形等、各種の形状とすることができる。前記止穴１２は、釘を打ち込んだり、ボルトをねじ込むなどして、台板１を地面等に止めておくためのものであるが、台板１に設ける位置や個数は任意である。なお、台板１には、前記止穴１２に代えて他の止め手段を設けることもできる。
【００２２】
ネジ棒２は、前記台板１の上面中央に下端部を溶接する等して立設しており、外側周面２ａに雄ネジが形成されており、外径を小径のパイプ５の内径より少し小さくしたものとし、外側周面２ａにこの小径のパイプ５の内側周面５ａが沿うようにして挿入できるようにしている。また、前記ネジ棒２は、図示したものでは、軸方向に対向するようにして二本の縦溝１３を形成したものとしている。この縦溝１３は、ネジ棒２の雄ネジの谷底より深く形成しており、建設現場での使用時に雄ネジに泥や砂などが溜まった場合に、この泥や砂などを履きだして除去し易くするためのものである。
【００２３】
操作ハンドル３は、調整ナット４の外側周面から水平方向に突き出して設けたものとしており、正逆回転させることにより、調整ナット４と共にネジ棒２に沿って上下動するようにしている。
【００２４】
調整ナット４は、上部に前記小径のパイプ５の支持部６と大径のパイプ７の支持部８を設けたものとしている。さらに、前記調整ナット４は、ネジ棒２の外側周面２ａに形成した雄ネジに螺合する雌ネジがその内側周面４ｂに形成されており、前記したようにハンドル３を正逆回転させることにより、ネジ棒２に沿って上下動するようにしている。なお、この調整ナット４を六角ナットとすれば、スパナなどの工具によっても正逆回転させることができるので、このような場合には前記操作ハンドル３を設けたものとしなくてもよい。
【００２５】
前記小径のパイプ５は、鳥居型の建枠足場などに用いられる場合が多く、そのパイプ径は通常φ４２．７ｍｍとしている。
【００２６】
前記大径のパイプ７は、単管足場や梯子型の建枠足場などに用いられる場合が多く、そのパイプ径は通常φ４８．６ｍｍとしている。
【００２７】
図１〜５に示したものでは、前記支持部６は、調整ナット４の上端の水平周面４ａとしている。すなわち、前記小径のパイプ５の内側周面５ａを前記ネジ棒２の外側周面２ａに沿うようにし、小径のパイプ５の下端部が調整ナット４の上端の水平周面４ａに支持されるようにしている。また、前記支持部８は、調整ナット４の上部に形成した外側段部９の水平周面９ａとしている。すなわち、前記大径のパイプ７の内側周面７ａを外側段部９の垂直側周面９ｂに沿うようにし、大径のパイプ７の下端部が外側段部９の水平周面９ａに支持されるようにしている。
【００２８】
図６〜１０に示したものでは、前記支持部６は、調整ナット４の上部に形成した内側第一段部１０の水平周面１０ａとしている。すなわち、前記小径のパイプ５の内側周面５ａを前記ネジ棒２の外側周面２ａに沿うようにし、小径のパイプ５の外側周面５ｂを内側第一段部１０の垂直側周面１０ｂ沿うようにし、小径のパイプ５の下端部が内側第一段部１０の水平周面１０ａに支持されるようにしている。また、前記支持部８は、調整ナット４の上部に形成した内側第二段部１１の水平周面１１ａとしている。すなわち、前記パイプ７の外側周面７ｂを内側第二段部１１の垂直側周面１１ｂに沿うようにし、大径のパイプ７の下端部が内側第二段部１１の水平周面１１ａに支持されるようにしている。なお、前記調整ナット４の上端の水平周面４ａの外周端は、図６〜１０に示したように、角を落としたものとしておくのが、安全面等から好ましい。
【００２９】
以上のように構成されたこの発明のジャッキ型ベース金具は、小径のパイプ５を支持する場合は、図２、３に示したように、この小径のパイプ５の内側周面５ａをネジ棒２の外側周面２ａに沿うようにして挿入し、そのパイプ５の下端部を調整ナット４の水平周面４ａに支持する。すると、小径のパイプ５は、ネジ棒２の外側周面２ａによって位置決めされ、調整ナット４の水平周面４ａからずれることがなく安定した状態で支持されることになる。そこで、調整ナット４を正逆回転させることにより、この調整ナット４を上下動させ、前記パイプ５を昇降動させれば、そのパイプ５を必要に応じた高さに調整することができるものとなる。
【００３０】
また、この発明のジャッキ型ベース金具は、小径のパイプ５を支持する場合は、図７、８に示したように、この小径のパイプ５の内側周面５ａをネジ棒２の外側周面２ａに沿うようにして挿入すると共に、小径のパイプ５の外側周面５ｂを内側第一段部１０の垂直側周面１０ｂに沿うようにし、小径のパイプ５の下端部を内側第一段部１０の水平周面１０ａに支持する。すると、小径のパイプ５は、ネジ棒２の外側周面２ａおよび内側第一段部１０の垂直側周面１０ｂによって位置決めされ、内側第一段部１０の水平周面１０ａからずれることがなく安定した状態で支持されることになる。そこで、調整ナット４を正逆回転させることにより、この調整ナット４を上下動させ、前記パイプ５を昇降動させれば、そのパイプ５を必要に応じた高さに調整することができるものとなる。
【００３１】
さらに、この発明のジャッキ型ベース金具は、大径のパイプ７を支持する場合は、図４、５に示したように、この大径のパイプ７をネジ棒２に挿入し、そのパイプ７の内側周面７ａを外側段部９の垂直側周面９ｂに沿うようにし、大径のパイプ７の下端部を外側段部９の水平周面９ａに支持する。すると、大径のパイプ７は、外側段部９の垂直側周面９ｂによって位置決めされ、外側段部９の水平周面９ａからずれることがなく安定した状態で支持されることになる。そこで、小径のパイプ５の場合と同様に、調整ナット４を正逆回転させることにより、この調整ナット４を上下動させ、前記パイプ７を昇降動させれば、そのパイプ７を必要に応じた高さに調整することができるものとなる。
【００３２】
また、この発明のジャッキ型ベース金具は、大径のパイプ７を支持する場合は、図９、１０に示したように、この大径のパイプ７をネジ棒２に挿入し、そのパイプ７の外側周面７ｂを内側第二段部１１の垂直側周面１１ｂに沿うようにし、大径のパイプ７の下端部を内側第二段部１１の水平周面１１ａに支持する。すると、大径のパイプ７は、内側第二段部１１の垂直側周面１１ｂによって位置決めされ、内側第二段部１１の水平周面１１ａからずれることがなく安定した状態で支持されることになる。そこで、小径のパイプ５の場合と同様に、調整ナット４を正逆回転させることにより、この調整ナット４を上下動させ、前記パイプ７を昇降動させれば、そのパイプ７を必要に応じた高さに調整することができるものとなる。
【図面の簡単な説明】
【００３３】
【図１】この発明のジャッキ型ベース金具の一実施形態を示す全体斜視図である。
【図２】図１に示すこの発明のジャッキ型ベース金具に小径のパイプを支持した状態を示す要部斜視図である。
【図３】図１に示すこの発明のジャッキ型ベース金具に小径のパイプを支持した状態を示す要部断面図である。
【図４】図１に示すこの発明のジャッキ型ベース金具に大径のパイプを支持した状態を示す要部斜視図である。
【図５】図１に示すこの発明のジャッキ型ベース金具に大径のパイプを支持した状態を示す要部断面図である。
【図６】この発明のジャッキ型ベース金具の他の実施形態を示す全体斜視図である。
【図７】図６に示すこの発明のジャッキ型ベース金具に小径のパイプを支持した状態を示す要部斜視図である。
【図８】図６に示すこの発明のジャッキ型ベース金具に小径のパイプを支持した状態を示す要部断面図である。
【図９】図６に示すこの発明のジャッキ型ベース金具に大径のパイプを支持した状態を示す要部斜視図である。
【図１０】図６に示すこの発明のジャッキ型ベース金具に大径のパイプを支持した状態を示す要部断面図である。
【図１１】従来のジャッキ型ベース金具の一例を示す全体斜視図である。
【図１２】従来のジャッキ型ベース金具の他の例を示す全体斜視図である。
【符号の説明】
【００３４】
１  台板
２  ネジ棒
２ａ  外側周面
４  調整ナット
４ａ  水平周面
５  パイプ
５ａ  内側周面
６  支持部
７  パイプ
８  支持部
９  外側段部
９ａ  水平周面
１０  内側第一段部
１０ａ  水平周面
１１  内側第二段部
１１ａ  水平周面
【図１】
2007321489.tif 000003
【図２】
2007321489.tif 000004
【図３】
2007321489.tif 000005
【図４】
2007321489.tif 000006
【図５】
2007321489.tif 000007
【図６】
2007321489.tif 000008
【図７】
2007321489.tif 000009
【図８】
2007321489.tif 000010
【図９】
2007321489.tif 000011
【図１０】
2007321489.tif 000012
【図１１】
2007321489.tif 000013
【図１２】
2007321489.tif 000014